(57)【要約】【課題】アウターシェル、そのアウターシェルの内側に配置されるエネルギー吸収層、及び、そのエネルギー吸収層の内側に配置されるライナーを含むヘルメットを提供すること。【解決手段】ヘルメットは、アウターシェル、そのアウターシェルの内側に配置されるエネルギー吸収層、及びそのエネルギー吸収層の内側に配置されるライナーを含む。そのライナーは、そのヘルメットの前部とそのヘルメットの後部との間を通る長手方向軸に沿って延びるよう構成される中央部、その中央部に解放可能に結合される第一側部、及び、その中央部に解放可能に結合される第二側部を含む。【選択図】図３
2009150043.tif 000002
【特許請求の範囲】
【請求項１】
アウターシェル；
前記アウターシェルの内側に配置されるエネルギー吸収層；及び
前記エネルギー吸収層の内側に配置されるライナーであって、当該ヘルメットの前部と当該ヘルメットの後部との間を通る長手方向軸に沿って延びるよう構成される中央部、前記中央部に解放可能に結合される第一側部、及び、前記中央部に解放可能に結合される第二側部を含むライナー；
を有するヘルメット。
【請求項２】
前記エネルギー吸収層上に複数のファスナを更に有し、
前記ライナーは、前記ライナーを前記エネルギー吸収層に解放可能に取り付けるために、前記エネルギー吸収層上の前記複数のファスナに対応する複数のファスナを有する、
請求項１のヘルメット。
【請求項３】
前記ライナーの前記複数のファスナは、前記ライナーの中央部の前端に近接する一対の前部ファスナを含み、
前記一対の前部ファスナは、前記エネルギー吸収層上の一対の補完的なファスナに取り付けるよう構成され、
前記第一側部及び前記第二側部は、前記一対の前部ファスナのところで前記中央部に解放可能に結合される、
請求項２のヘルメット。
【請求項４】
前記ライナーは、代替中央部であり、前記代替中央部を元の中央部の代わりに前記エネルギー吸収層に解放可能に取り付けるために前記エネルギー吸収層上の前記複数のファスナに対応する複数のファスナを有する代替中央部を含み、
前記代替中央部は、着用者の頭にある当該ヘルメットの前記ライナー及びフィット感をカスタマイズするために、前記元の中央部に比べて、異なるサイズ及び異なる形状のうちの少なくとも一つを有し、
前記第一側部及び前記第二側部は、前記代替中央部に解放可能に取り付けられるよう構成される、
請求項２のヘルメット。
【請求項５】
前記第一側部及び前記第二側部は、前記中央部に枢動可能に結合される、
請求項１のヘルメット。
【請求項６】
前記第一側部及び前記第二側部のそれぞれはポケットを含み、
当該ヘルメットは更に、一対のインサートを有し、
前記一対のインサートにおける各インサートは、着用者の頭にある当該ヘルメットの前記ライナーのサイズ及びフィット感をカスタマイズすべく前記第一側部及び前記第二側部のそれぞれの厚みを増大させるために前記第一側部及び前記第二側部のそれぞれのポケットに挿入可能である、
請求項１のヘルメット。
【請求項７】
第三側部及び第四側部を更に有し、
前記第三側部及び前記第四側部は、前記第一側部及び前記第二側部と置き換え可能であり、且つ、着用者の頭にある当該ヘルメットの前記ライナー及びフィット感をカスタマイズするための異なるサイズ及び形状のうちの少なくとも一つを有する、
請求項１のヘルメット。
【請求項８】
アウターシェル；
前記アウターシェルの内側に配置されるエネルギー吸収層；及び
前記エネルギー吸収層の内側に配置されるライナーであり、当該ヘルメットが着用者によって着用された場合に前記着用者の頭に接触するよう構成されるライナーであって、
当該ヘルメットの前部と当該ヘルメットの後部との間を通る長手方向軸に沿って延びるよう構成される中央部、
前記中央部に結合され、第一ポケットを定義する第一側部、
前記中央部に結合され、第二ポケットを定義する第二側部、及び
一対のインサートであり、前記一対のインサートのそれぞれが、前記着用者の頭にある当該ヘルメットの前記ライナーのサイズ及びフィット感をカスタマイズすべく、対応する側部の厚みを増大させるために前記第一ポケット及び前記第二ポケットの一つに挿入可能であるところの一対のインサートを含むライナー；
を有するヘルメット。
【請求項９】
前記エネルギー吸収層上に複数のファスナを更に有し、
前記ライナーは、前記ライナーを前記エネルギー吸収層に解放可能に取り付けるために、前記エネルギー吸収層上にある前記複数のファスナに対応する複数のファスナを有する、
請求項８のヘルメット。
【請求項１０】
前記ライナーの前記複数のファスナは、前記ライナーの前記中央部の前端に近接する一対の前部ファスナを含み、
前記一対の前部ファスナは、前記エネルギー吸収層上の一対の補完的なファスナに取り付けられるよう構成され、
前記第一側部及び前記第二側部は、前記一対の前部ファスナのところで前記中央部に解放可能に結合される、
請求項９のヘルメット。
【請求項１１】
前記ライナーは、代替中央部であり、前記代替中央部を元の中央部の代わりに前記エネルギー吸収層に解放可能に取り付けるために前記エネルギー吸収層上の前記複数のファスナに対応する複数のファスナを有する代替中央部を含み、
前記代替中央部は、着用者の頭にある当該ヘルメットの前記ライナー及びフィット感をカスタマイズするために、前記元の中央部に比べて、異なるサイズ及び異なる形状のうちの少なくとも一つを有し、
前記第一側部及び前記第二側部は、前記代替中央部に解放可能に取り付けられるよう構成される、
請求項９のヘルメット。
【請求項１２】
前記第一側部及び前記第二側部は、前記中央部に枢動可能に結合される、
請求項８のヘルメット。
【請求項１３】
第二のインサート対を更に有し、
前記第二のインサート対の各インサートは、前記第一のインサート対の各インサートよりも大きな厚みを有し、
前記第二のインサート対は、前記第一のインサートを置き換えて前記第一のインサート対によってもたらされるものよりも大きな厚みを持つ対応する側部をもたらすために、前記第一ポケット及び前記第二ポケットに挿入可能である、
請求項８のヘルメット。
【請求項１４】
第三側部及び第四側部を更に有し、
前記第三側部及び前記第四側部は、前記第一側部及び前記第二側部と置き換え可能であり、且つ、着用者の頭にある当該ヘルメットの前記ライナー及びフィット感をカスタマイズするための異なるサイズ及び形状のうちの少なくとも一つを有し、
前記一対のインサートのそれぞれは更に、前記着用者の頭にある当該ヘルメットの前記ライナーのサイズ及びフィット感を更にカスタマイズすべく、前記第三側部及び前記第四側部の厚みを増大させるために、前記第三側部及び前記第四側部のそれぞれのポケットに挿入可能である、
請求項８のヘルメット。
【請求項１５】
特定の着用者のためにヘルメットのフィット感をカスタマイズする方法であって：
アウターシェルを提供するステップ；
前記アウターシェルの内側に配置されるエネルギー吸収層を提供するステップ；
前記エネルギー吸収層に解放可能に結合されるライナーを提供するステップであり、前記ヘルメットが前記着用者によって着用された場合に前記着用者の頭に接触するよう構成され、前記ヘルメットの前部と前記ヘルメットの後部との間を通る長手方向軸に沿って延びるよう構成される中央部を含み、更に、前記中央部に解放可能に結合される第一側部及び第二側部を含むライナーを提供するステップ；及び
前記着用者の頭に対する前記ヘルメットのフィット感を調節するために前記ライナーの少なくとも一部の厚みを調節するステップ；
を有する方法。
【請求項１６】
前記ライナーの少なくとも一部の厚みを調節するステップは、前記第一側部及び前記第二側部を前記中央部から取り外すステップ、及び、第三側部及び第四側部を前記中央部に解放可能に結合するステップを含み、前記第三側部及び前記第四側部は、前記第一側部及び前記第二側部とは異なる厚みを有する、
請求項１５の方法。
【請求項１７】
前記ライナーの少なくとも一部の厚みを調節するステップは、前記第一側部及び前記第二側部の厚みを増大させるために、前記第一側部及び前記第二側部のそれぞれにおけるそれぞれのポケットにインサートを位置付けるステップを含む、
請求項１５の方法。
【請求項１８】
前記ヘルメットは、前記第一側部及び前記第二側部のポケットに取り外し可能なインサートを備え、
前記ライナーの少なくとも一部の厚みを調節するステップは、前記第一側部及び前記第二側部の厚みを低減させるために、前記ポケットから前記インサートを取り外すステップを含む、
請求項１５の方法。
【請求項１９】
前記ライナーの少なくとも一部の厚みを調節するステップは、前記エネルギー吸収層から前記中央部を取り外すステップ、及び、前記エネルギー吸収層に代替中央部を解放可能に結合するステップを含み、前記代替中央部は、元の中央部とは異なる厚みを有する、
請求項１５の方法。
【請求項２０】
前記ライナーの少なくとも一部の厚みを調節するステップは、前記第一側部及び前記第二側部の厚みを調節するステップを更に含む、
請求項１９の方法。
【発明の詳細な説明】
【技術分野】
【０００１】
本発明は、２００７年１２月２１日出願の米国仮特許出願番号第６１／００８９７６号に対する優先権を主張し、その内容の全てが参照により援用される。
【０００２】
本発明は、モーターサイクル用ヘルメットのような保護用ヘルメットに関する。
【背景技術】
【０００３】
より詳細には、本発明は、カスタマイズ可能なフィット感を備えた保護用ヘルメットに関する。
【特許文献１】米国仮特許出願第６１／００８９７６号明細書
【発明の開示】
【発明が解決しようとする課題】
【０００４】
ほとんどの保護用ヘルメットは、着用者の頭のサイズにほぼ適合するよう一連の規格サイズが現在のところ入手可能であるが、従来のヘルメットにおけるぴったりとしたフィット感は、概して、着用者の頭の特定の形状に適合するよう調節できるものではない。更に、従来のヘルメットは、頭のサイズが二つの規格サイズの間にある人にとっては、ぴったりのサイズとはなり得ない。
【課題を解決するための手段】
【０００５】
一実施例において、本発明は、アウターシェル、そのアウターシェルの内側に配置されるエネルギー吸収層、及び、そのエネルギー吸収層の内側に配置されるライナーを含むヘルメットを提供する。そのライナーは、そのヘルメットの前部とそのヘルメットの後部との間を通る長手方向軸に沿って延びるよう構成される中央部、その中央部に解放可能に結合される第一側部、及び、その中央部に解放可能に結合される第二側部を含む。
【０００６】
別の実施例において、本発明は、アウターシェルと、そのアウターシェルの内側に配置されるエネルギー吸収層と、そのエネルギー吸収層の内側に配置され、且つ、そのヘルメットが着用者によって着用された場合にその着用者の頭に接触するよう構成されるライナーとを含むヘルメットを提供する。そのライナーは、そのヘルメットの前部とそのヘルメットの後部との間を通る長手方向軸に沿って延びるよう構成される中央部と、その中央部に結合され且つ第一ポケットを定義する第一側部と、その中央部に結合され且つ第二ポケットを定義する第二側部と、一対のインサート（挿入物）とを含む。そのインサートのそれぞれは、第一ポケット及び第二ポケットのうちの一つに挿入可能である。その着用者の頭にあるヘルメットのライナーのサイズ及びフィット感をカスタマイズすべく、対応する側部の厚みを増大させるためである。
【０００７】
更に別の実施例において、本発明は、着用者のヘルメットのフィット感をカスタマイズする方法を提供する。アウターシェルは、そのアウターシェルの内側に配置されるエネルギー吸収層を備える。ライナーは、そのエネルギー吸収層に解放可能に結合されて備えられる。そのライナーは、そのヘルメットがその着用者によって着用された場合にその着用者の頭に接触するよう構成される。そのライナーは、そのヘルメットの前部とそのヘルメットの後部との間を通る長手方向軸に沿って延びるよう構成される中央部を含む。そのライナーは更に、その中央部に解放可能に結合される第一及び第二側部を含む。そのライナーの少なくとも一部における厚みは、その着用者の頭に対するそのヘルメットのフィット感を調節するように調節される。
【発明を実施するための最良の形態】
【０００８】
本発明の何れの実施例もが詳細に説明される前に、本発明は、その適用において、以下の記載で説明される、或いは、以下の図面で図解される構造の詳細及び構成要素の配置に限定されないことが理解されるべきである。本発明は、別の実施例を実現可能であり、また、種々の方法で、実施され、或いは、実行され得る。また、本書で用いられる表現及び専門用語は、説明を目的としたものであり、限定的なものとされるべきではないことが理解されるべきである。本書における“含む”、“有する”又は“持つ”及びそれらの変形の使用は、その後に列挙される項目及びそれらの均等物、並びに、追加的な項目を包含することを意味する。特定或いは限定されない限り、用語“取り付けられ”、“接続され”、“支持され”及び“結合され”並びにそれらの変形は、広い意味で用いられ、取り付け、接続、支持、及び結合における直接的なもの及び間接的なものの双方を包含する。更に、“接続され”及び“結合され”は、物理的又は機械的な接続又は結合に限定されるものではない。
【実施例】
【０００９】
図１は、保護用ヘルメット２０を図示する。図示された構造において、ヘルメット２０は、モーターサイクル用ヘルメットであり、特に、ハーフシェル型、又は、“ビーニー”型のモーターサイクル用ヘルメットである。しかしながら、ヘルメット２０の特徴及びその部分は、以下で説明されるように、様々な活動で使用される様々なスタイルのヘルメットに適用され得る。ヘルメット２０は、全体的に堅い合成材料でできたアウターシェル２４を含む。エネルギー吸収層２８（図２）は、アウターシェル２４の内側に位置付けられる。エネルギー吸収層２８は、例えば発泡スチロールで構成されてもよく、より良い外観及び／又は快適性のためにスキン（表皮）３０によって部分的に覆われていてもよい。快適ライナー３２（図１及び３〜５）は、エネルギー吸収層２８の内側に位置付けられる。ライナー３２は、ヘルメット２０の着用者の頭に近接しており、その着用者に快適性と適切なフィット感とを与える。保持システム３６は、ヘルメット２０をその着用者の頭に固定するための手段を提供する。ヘルメット２０は更に、図１及び２で示されるようなバイザー３８を含む。
【００１０】
以下でより詳細に説明されるように、ライナー３２は、取り外し可能であり、再構成可能であり、且つ、交換可能であって、様々な頭のサイズ及び／又は形状を有する様々な着用者に対してカスタムフィットを提供する。図３を参照すると、ライナー３２は、ヘルメット２０の長手方向（前から後）に沿って延びる中央部４０を含む。中央部４０は、概して、その着用者の頭の上を前額部から頭蓋後部まで覆うように延びるが、概して、その着用者の頭の側部を覆わない。むしろ、一対のフラップ又は側部４４が中央部４０に結合され、その着用者の頭の側部に対して横たわるように位置付けられる。側部４４は、ライナー３２の前端でもある中央部４０の前端４０Ａに隣接して中央部４０に解放可能に結合される（図３〜５）。
【００１１】
ライナー３２の後端でもある中央部４０の後端４０Ｂは、ポニーテール、ブレイズ（お下げ髪）等である着用者の髪の集まりを受け入れるための長手方向のチャネル４６を定義する。チャネル４６は、もしあれば、ヘルメット２０内にある髪のピンチング（髪留め）に起因するその着用者の圧点（痛いところ）又は全体的な不快感を抑えるために、髪の集まりを受け入れるべくその着用者の首の後ろに沿って延びるよう構成される。
【００１２】
図３は、中央部４０に対して第一の配置にある側部４４の双方を図示する。その第一の配置において、側部４４は、全体的に中央部４０に沿って延びる。図３は、扁平な状態にあるライナー３２を図示しており、ヘルメット２０内に位置付けられた場合には、ライナー３２は、側部４４が中央部４０の側部を補完するようにアーチ形状をとるという点に留意すべきである。図４〜６で示されるように、側部４４のそれぞれは、ライナー３２がヘルメット２０内に位置付けられた場合に中央部４０の側部のそれぞれに隣接して横たわるよう構成される曲線縁４８を有する。
【００１３】
図２で示されるように、ヘルメット２０は、ライナー３２をエネルギー吸収層２８及び／又はスキン３０に結合するための、一対の前部ファスナ（留め具）５２、一対の後部ファスナ５４、及び、一対の中間ファスナ５６を含む。更に図５を参照すると、ライナー３２は、エネルギー吸収層２８上の前部ファスナ５２、後部ファスナ５４、及び中間ファスナ５６のそれぞれに対応する前部ファスナ６２、後部ファスナ６４、及び中間ファスナ６６を含む。ライナー３２の中間ファスナ６６は、側部４４上に形成され、一方で、ライナー３２の前部ファスナ６２及び後部ファスナ６４は、中央部４０上に形成される。図示されるように、ライナー３２の後部ファスナ６４は、中央部４０の後端４０Ｂに近接して形成される。
【００１４】
ライナー３２上の前部ファスナ６２は、ライナー３２の前部をエネルギー吸収層２８に解放可能に取り付けることに加えて、側部４４を中央部４０に解放可能に取り付けられるよう構成される。図５及び８で示されるように、側部４４のそれぞれは、開口７２を含むフランジ７０を含む。開口７２は、側部４４が中央部４０に解放可能に結合されるように、ライナー３２の中央部４０上にある前部ファスナ６２を（例えば、プレスフィット（圧入）又はスナップフィット等により）受け入れる。側部４４のフランジ７０は、ライナー３２がヘルメット２０から取り外された場合に、側部４４が中央部４０に対して回転できるようにする（図４及び５は、中央部４０に対する第二配置まで回転させられた側部４４の一つを図示する。）。中央部４０に取り付けられた場合であっても、フランジ７０は、ライナー３２における前部ファスナ６２のエネルギー吸収層２８における前部ファスナ５２への結合を妨げることはない。代替的な構造では、側部４４は、ライナー３２の前部をエネルギー吸収層２８に解放可能に結合する前部ファスナ６２から離れた、ライナー３２上の別の位置で、中央部４０に結合される。
【００１５】
図示された構造では、ライナー３２の前部ファスナ６２、後部ファスナ６４、及び中間ファスナ６６は、スナップ式である。エネルギー吸収層２８にある前部ファスナ５２、後部ファスナ５４、及び中間ファスナ５６もまた、ライナー３２がスナップによってエネルギー吸収層２８に解放可能に取り付けられるように、図示された構造ではスナップ式である。スナップ式の代わりに、ライナー３２をヘルメット２０に解放可能に取り付けるための別の手段（例えば、ネジ、ボタン、戻り止め装置、粘着性ストリップ、フック−ループ・ストリップ等である。）が提供されてもよい。
【００１６】
図５、６、８、及び９は、側部４４に形成されるポケット７６を図示する。ポケット７６は、一以上のフィット感カスタマイズ用インサート又はパッド８０を受け入れる（図７〜９）。パッド８０のそれぞれは、所与の厚みを有するが、代替パッドは、異なる厚みを備えていてもよく、或いは、追加的なパッド８０は、側部４４の領域におけるライナー３２の厚みを変えることによってヘルメット２０の有効内側サイズ及び／又は形状を変えるために、様々な数量で提供されてもよい。ポケット７６は、カスタマイズされたフィット感を提供するため、ヘルメット２０を改良することを迅速且つ簡単に可能にする。
【００１７】
更に、ヘルメット２０のフィット感は、ライナー３２又はその一部を、代替のサイズ、形状、及び／又は厚みを有する類似の代替物で置き換えることにより、特定の個人に対してカスタマイズされ得る。例えば、側部４４は、中央部４０の前部ファスナ６２のところで、中央部４０に取り付けられる、より厚い或いはより薄い側部（図示せず。）で置き換えられ得る。元の中央部４０とは異なる厚みを有する代替の中央部（図示せず。）が、元の中央部４０を置き換えるように提供されてもよく、代替のフィット感を持つヘルメット２０を提供するようにしてもよい。
【００１８】
図１０及び１１は、図１及び２のヘルメット２０の部品として用いられるよう構成される別のライナー１３２を図示する。図１０及び１１のライナー１３２は、ほとんどの点において、上述のライナー３２に類似する。
【００１９】
ライナー１３２は、中央部１４０と、中央部１４０の前端１４０Ａに近接して中央部１４０に解放可能に結合される一対の側部１４４とを含む。側部１４４のそれぞれは、ライナー１３２の前部ファスナ１６２に取り付けるための開口１７２をその中に有するフランジ１７０を含む。前部ファスナ１６２は、追加的に、エネルギー吸収層２８上で前部ファスナ５２に解放可能に結合される。側部１４４は、エネルギー吸収層２８上の中間ファスナ５６に解放可能に結合される中間ファスナ１６６を備える。後部ファスナ１６４は、中央部１４０の後端１４０Ｂに近接して備えられ、エネルギー吸収層２８上で後部ファスナ５４に解放可能に結合される。
【００２０】
図示された構造では、図３〜９のライナー３２と同様に、ライナー１３２の側部１４４は、中央部１４０上における前端１４０Ａに近接したところで前部ファスナ１６２に（或いは別の位置に）解放可能に取り付けられてもよい。側部１４４のフランジ１７０は、ライナー１３２のエネルギー吸収層２８への解放可能な結合を妨げることはなく、更には、ライナー１３２がヘルメット２０から取り外された場合に、（図１１の双方向矢印１８２で示されるように）側部１４４が中央部１４０に対して前部ファスナ１６２の回りを回転できるようにする。
【００２１】
図１０及び１１で示されるように、側部１４４は、全体的に矩形又は台形の形状であり、また、中央部１４０の側部を補完するよう構成されるアーチ状の側端を含まない。側部１４４のサイズ及び／又は形状は、図３〜６及び８、９で示される側部４４に比べて、ヘルメット２０に代替のフィット感を提供し得る。このように、側部４４、１４４は、ライナー３２、１３２を再構成し、且つ、様々な頭のサイズ及び／又は形状を有する様々な着用者のためにフィット感をカスタマイズできるように、単一のライナー中央部４０、１４０上で相互に置き換えられてもよい。
【００２２】
側部１４４はそれぞれ、ライナー１３２を有するヘルメット２０をフィット感のために更にカスタマイズできるようにするポケット１７６を備える。ポケット１７６のそれぞれは、厚みの異なる一以上のフィット感カスタマイズ用インサート又はパッド１８０を受け入れるよう構成され、或いは、側部１４４の領域におけるライナー１３２の厚みを変えることによってヘルメット２０の有効内側サイズ及び／又は形状を変えるために、様々な数量で提供される。ポケット１７６及び交換可能パッド１８０は、カスタマイズされたフィット感を提供するため、ヘルメット２０を改良することを迅速且つ簡単に可能にする。
【００２３】
上述のライナー３２、１３２は、一以上の着用者の頭に適合させるためにヘルメット２０をカスタマイズする一以上の方法を可能にする。例えば、ライナー３２、１３２は、ヘルメット２０から取り外され、そして、中央部４０、１４０から側部４４、１４４を取り外し、且つ、代替のサイズ及び／又は形状を有する側部４４、１４４を解放可能に取り付けることによってカスタマイズされる。例えば、ライナー３２、１３２を再構成してヘルメット２０のサイズを調節するために交換され得る“スモール（小）”、“ミディアム（中）”、及び“ラージ（大）”の側部４４、１４４が提供されてもよい。更に、所与のライナー３２、１３２は、様々なサイズのアウターシェル２４及びエネルギー吸収層２８を有するヘルメット２０群の間で置き換え可能であってもよい。
【００２４】
更に、（側部４４、１４４を備え、パッド８０を備えない）ライナー３２、１３２は、ライナー３２、１３２のサイズ、及び、着用者の頭にあるヘルメット２０のフィット感をカスタマイズするために、側部４４、１４４にあるポケット７６、１７６に一以上のパッド８０、１８０を挿入することによって側部４４、１４４が変えられるように、エネルギー吸収層２８から取り外されてもよい。所与の着用者のために、その着用者の頭に合うように（すなわち、痛いところなく快適なフィット感を提供するように）ヘルメット２０がカスタマイズされるよう、ライナー３２、１３２が適切なサイズとなるまで、追加的なパッド８０、１８０が加えられてもよい（或いは、より大きな厚みを持つパッドに取り換えられてもよい。）。
【００２５】
このようにして、本発明は、とりわけ、取り外し可能で、再構成可能で、且つ、交換可能なライナー、及び、取り外し可能／置き換え可能なそのライナーの構成要素を有するカスタマイズ可能なヘルメットを提供する。
【図面の簡単な説明】
【００２６】
【図１】本発明を具現するライナーを有する保護用ヘルメットの底面図である。
【図２】ライナーが取り外された状態にある図１の保護用ヘルメットの底面図である。
【図３】ライナーの中央部に対する第一配置にある二つのサイドフラップを示す、図１の保護用ヘルメットから取り外されたライナーの底面図である。
【図４】ライナーの中央部に対する第二配置まで回転させられたサイドフラップの一つを示す、図３のライナーの底面図である。
【図５】ライナーの中央部から取り外されたサイドフラップの一つを示す、図３のライナーの上面図である。
【図６】サイドフラップの中に形成されたポケットを図示する、図５における取り外されたサイドフラップの斜視図である。
【図７】ライナーのサイドフラップのポケットの一つに挿入可能なフィット感カスタマイズ用パッドの斜視図である。
【図８】ライナーのサイドフラップのポケットに部分的に挿入された、図７のフィット感カスタマイズ用パッドを図示する斜視図である。
【図９】ライナーのサイドフラップのポケットに完全に挿入された、図７のフィット感カスタマイズ用パッドを図示する斜視図である。
【図１０】図１の保護用ヘルメットと共に使用される別の構造に従ったライナーの底面図である。
【図１１】ライナーのサイドフラップに挿入可能なフィット感カスタマイズ用パッドを図示する、図７のライナーの上面図である。
【符号の説明】
【００２７】
２０    ヘルメット
２４    アウターシェル
２８    エネルギー吸収層
３０    スキン
３２    ライナー
３６    保持システム
３８    バイザー
４０    中央部
４０Ａ  中央部の前端
４０Ｂ  中央部の後端
４４    側部
４６    チャネル
４８    曲線縁
５２    前部ファスナ
５４    後部ファスナ
５６    中間ファスナ
６２    前部ファスナ
６４    後部部ファスナ
６６    中間ファスナ
７０    フランジ
７２    開口
７６    ポケット
８０    パッド
１３２  ライナー
１４０  中央部
１４０Ａ  中央部の前端
１４０Ｂ  中央部の後端
１４４  側部
１４６  チャネル
１６２  前部ファスナ
１６４  後部ファスナ
１６６  中間ファスナ
１７０  フランジ
１７２  開口
１７６  ポケット
１８０  パッド
１８２  双方向矢印
【図１】
2009150043.tif 000003
【図２】
2009150043.tif 000004
【図３】
2009150043.tif 000005
【図４】
2009150043.tif 000006
【図５】
2009150043.tif 000007
【図６】
2009150043.tif 000008
【図７】
2009150043.tif 000009
【図８】
2009150043.tif 000010
【図９】
2009150043.tif 000011
【図１０】
2009150043.tif 000012
【図１１】
2009150043.tif 000013